(57)【特許請求の範囲】
【請求項１】
情報管理装置と、複数人の情報発信者がそれぞれ所有する複数個の端末装置とがネットワークを介して接続されたネットワークシステムであって、
前記各端末装置は、
情報発信者から発信された所定の生体情報を入力する入力手段と、
特定の生体情報を示すデータが記憶された生体情報記憶手段と、
前記入力手段で入力された生体情報と前記生体情報記憶手段に記憶された特定の生体情報を示すデータを比較することにより、入力された生体情報が前記特定の生体情報であるか否かを判別する判別手段と、
衛星航法システムを利用した位置情報に基づいて情報発信者の位置を認識する位置認識手段と、
前記判別手段により特定の生体情報であると判別された場合には、前記特定の生体情報であることを示す情報と前記位置認識手段によって認識された前記判別手段による判別時における情報発信者の位置情報を、前記情報管理装置に送信する送信手段と、
を備え、
前記情報管理装置は、
前記複数個の端末装置から送信されてくる特定の生体情報であることを示す情報と情報発信者の位置情報を受信する受信手段と、
前記受信手段で受信した情報を基に、特定の生体情報と情報発信者の位置とを関連付けて記憶する関連付情報記憶手段と、
前記関連付情報記憶手段に記憶された、特定の生体情報と情報発信者の位置についての複数の情報を基に、特定の生体情報が発信された頻度を発信位置毎に求める手段と、
前記求められた特定の生体情報の発信位置毎の頻度を示す頻度情報を記憶する頻度情報記憶手段と、
を備えていることを特徴とするネットワークシステム。
【請求項２】
特定の生体情報が複数個存在し、前記頻度情報記憶手段は、前記各特定の生体情報について、発信位置毎の頻度情報を記憶する請求項１に記載のネットワークシステム。
【請求項３】
入力手段に入力される所定の生体情報が音声であり、特定の生体情報が特定の単語であり、前記判別手段は前記音声に示された単語が特定の単語であるか否かを判別する請求項１または２に記載のネットワークシステム。
【請求項４】
入力手段に入力される所定の生体情報が発汗量であり、特定の生体情報が冷や汗であり、特定の生体情報を示すデータが発汗量の変化データであり、判別手段は発汗量の変化の比較から入力された生体情報が冷や汗であるか否かを判別する請求項１または２に記載のネットワークシステム。
【請求項５】
前記端末装置は、入力手段または判別手段の動作許否を情報発信者が選択可能な選択スイッチを備えている請求項１〜４のいずれかに記載のネットワークシステム。
【請求項６】
情報管理装置と、複数人の情報発信者がそれぞれ所有する複数個の端末装置とがネットワークを介して接続されたネットワークシステムにおいて実施される情報処理方法であって、
前記各端末装置は、
情報発信者から発信された所定の生体情報を入力手段で入力する入力ステップと、
前記入力ステップにおいて入力された生体情報と、生体情報記憶手段に記憶された特定の生体情報を示すデータを判別手段で比較することにより、入力された生体情報が前記特定の生体情報であるか否かを判別する判別ステップと、
衛星航法システムを利用した位置情報に基づいて情報発信者の位置を認識手段で認識する位置認識ステップと、
前記判別ステップにおいて特定の生体情報であると判別された場合には、前記特定の生体情報であることを示す情報と前記位置認識ステップにおいて認識された前記判別ステップにおける判別時の情報発信者の位置情報を、前記情報管理装置に送信手段で送信する送信ステップと、
を実施し、
前記情報管理装置は、
前記複数個の端末装置から送信されてくる特定の生体情報であることを示す情報と情報発信者の位置情報を受信手段で受信する受信ステップと、
前記受信ステップにおいて受信した情報を基に、特定の生体情報と情報発信者の位置とを関連付けて関連付情報記憶手段に記憶するステップと、
前記関連付情報記憶手段に記憶された、特定の生体情報と情報発信者の位置についての複数の情報を基に、特定の生体情報が発信された頻度を発信位置毎に演算手段で求めるステップと、
前記求められた特定の生体情報の発信位置毎の頻度を示す頻度情報を頻度情報記憶手段に記憶するステップと、
を実施する情報処理方法。
【発明の詳細な説明】
【０００１】
【発明の属する分野】
この発明は、たとえば流通サービス業などにおける消費者動向の把握、あるいはホームヘルプサービス業などにおける情報収集・管理等に利用される、情報処理装置および情報処理方法に関する。
【０００２】
【従来の技術】
従来、情報を収集したり管理する装置として、たとえば特開平１１−１２０２４０号公報などには、流通物品に関わる読み取り情報と読み取り位置を管理するシステムが開示されており、また、特開２０００−６０８７には、患者に所持させた無線心電監視装置からの情報を常時医療機関に送信するシステムが開示されている。
【０００３】
【発明が解決しようとする課題】
ところで、たとえば流通サービス業などの市場調査では、消費者が好みの対象場所や対象物に出会った時の生体情報の変化、具体的には、消費者が流行スポット付近に至って思わず声に出した感想などが、その流行スポットや流行商品を見つけるのに有益な情報となる。また、ホームヘルプサービス業などでは、独居老齢者などの要支援者が、居宅で場所を変えた時の生体情報の変化、具体的には、要支援者が床段差などでつまずいて無意識に発する声や冷や汗などを情報として事前に入手しておけば、要支援者にとって支障となっている個所を訪問時に改善でき、質の高いサービスを実施できる。
【０００４】
しかし、上記した従来の技術では、流通物品の位置情報を得たり、患者などの情報発信者の生体情報を入手するだけであり、情報発信者の無意識での生体情報が各位置でどのように発せられるかを仔細に把握できず、前記流行スポットないしは要支援者の障害となる場所などを的確に特定できるような管理データを作成するのは難しかった。
【０００５】
この発明は、上記実情に鑑みてなされたものであり、流行商品などを見つけたり、老齢者などの要支援者にとって支障となっている個所などを的確に把握することが可能な情報処理装置および情報処理方法を提供することを課題とする。
【０００６】
【課題を解決するための手段】
上記課題は、情報管理装置と、複数人の情報発信者がそれぞれ所有する複数個の端末装置とがネットワークを介して接続されたネットワークシステムであって、前記各端末装置は、情報発信者から発信された所定の生体情報を入力する入力手段と、特定の生体情報を示すデータが記憶された生体情報記憶手段と、前記入力手段で入力された生体情報と前記生体情報記憶手段に記憶された特定の生体情報を示すデータを比較することにより、入力された生体情報が前記特定の生体情報であるか否かを判別する判別手段と、衛星航法システムを利用した位置情報に基づいて情報発信者の位置を認識する位置認識手段と、前記判別手段により特定の生体情報であると判別された場合には、前記特定の生体情報であることを示す情報と前記位置認識手段によって認識された前記判別手段による判別時における情報発信者の位置情報を、前記情報管理装置に送信する送信手段と、を備え、前記情報管理装置は、前記複数個の端末装置から送信されてくる特定の生体情報であることを示す情報と情報発信者の位置情報を受信する受信手段と、前記受信手段で受信した情報を基に、特定の生体情報と情報発信者の位置とを関連付けて記憶する関連付情報記憶手段と、前記関連付情報記憶手段に記憶された、特定の生体情報と情報発信者の位置についての複数の情報を基に、特定の生体情報が発信された頻度を発信位置毎に求める手段と、前記求められた特定の生体情報の発信位置毎の頻度を示す頻度情報を記憶する頻度情報記憶手段と、を備えていることを特徴とするネットワークシステムによって解決される。
【０００７】
この情報処理装置では、複数人の情報発信者がそれぞれ所有する端末装置の入力手段に入力された情報発信者からの所定の生体情報について、判別手段により特定の生体情報か否か判別される。一方、衛星航法システムを利用した位置情報に基づいて情報発信者の位置が位置認識手段によって認識される。そして、判別手段により特定の生体情報であると判別された場合には、特定の生体情報であることを示す情報と判別時における情報発信者の前記位置情報が、情報管理装置に送信される。情報管理装置は、前記複数個の端末装置から送信されてくる特定の生体情報であることを示す情報と情報発信者の位置情報を受信するとともに、受信した情報を基に、特定の生体情報と情報発信者の位置とを関連付けて記憶する。そして、記憶された、特定の生体情報と情報発信者の位置についての複数の情報を基に、特定の生体情報が発信された頻度を発信位置毎に求め、前記求められた特定の生体情報の発信位置毎の頻度を示す頻度情報が記憶される。
【０００８】
つまり、特定の生体情報の発信位置毎の頻度を示す頻度情報が得られることになり、情報発信者の移動に伴って発信された特定の生体情報、例えば、流行スポットなどに至った情報発信者が思わず声にした「超かわいい」などの言葉から、流行スポットや流行商品が容易に特定される。また、複数の情報発信者が無意識のうちに発した特定の生体情報の頻度から、流行スポットや流行商品などの人気順などが分かる。
【００１１】
また、特定の生体情報が複数個存在し、頻度情報記憶手段は、前記各特定の生体情報について、発信位置毎の頻度情報を記憶するものとしてもよい。この場合には、各生体情報について発信位置毎の頻度情報が得られる。
【００１４】
また、入力手段に入力される所定の生体情報が音声であり、特定の生体情報が特定の単語であり、前記判別手段は前記音声に示された単語が特定の単語であるか否かを判別する構成であっても良い。この場合には、特定の生体情報か否かの判別が比較的簡単にまた確実に行えるうえ、情報発信者が無意識に発した感動詞などの様々な言葉から流行スポットなどが容易に推測される。
【００１５】
また、入力手段に入力される所定の生体情報が発汗量であり、特定の生体情報が冷や汗であり、特定の生体情報を示すデータが発汗量の変化データであり、判別手段は発汗量の変化の比較から入力された生体情報が冷や汗であるか否かを判別する構成であっても良い。この場合には、発汗量が例えば急に増加したような場合には冷や汗と判断され、そのときの位置が記憶されることで、たとえば老齢者などが移動する際に障害となっているような場所の特定等に役立つ。
【００１６】
また、前記端末装置は、入力手段または判別手段の動作許否を情報発信者が選択可能な選択スイッチを備えている構成であっても良い。この場合には、生体情報の入力動作や判別動作を行わせるか否かを選択でき、必要時のみに動作を行わせることが可能となる。
【００１７】
また、前記課題は、情報管理装置と、複数人の情報発信者がそれぞれ所有する複数個の端末装置とがネットワークを介して接続されたネットワークシステムにおいて実施される情報処理方法であって、前記各端末装置は、情報発信者から発信された所定の生体情報を入力手段で入力する入力ステップと、前記入力ステップにおいて入力された生体情報と、生体情報記憶手段に記憶された特定の生体情報を示すデータを判別手段で比較することにより、入力された生体情報が前記特定の生体情報であるか否かを判別する判別ステップと、衛星航法システムを利用した位置情報に基づいて情報発信者の位置を認識手段で認識する位置認識ステップと、前記判別ステップにおいて特定の生体情報であると判別された場合には、前記特定の生体情報であることを示す情報と前記位置認識ステップにおいて認識された前記判別ステップにおける判別時の情報発信者の位置情報を、前記情報管理装置に送信手段で送信する送信ステップと、を実施し、前記情報管理装置は、前記複数個の端末装置から送信されてくる特定の生体情報であることを示す情報と情報発信者の位置情報を受信手段で受信する受信ステップと、前記受信ステップにおいて受信した情報を基に、特定の生体情報と情報発信者の位置とを関連付けて関連付情報記憶手段に記憶するステップと、前記関連付情報記憶手段に記憶された、特定の生体情報と情報発信者の位置についての複数の情報を基に、特定の生体情報が発信された頻度を発信位置毎に演算手段で求めるステップと、前記求められた特定の生体情報の発信位置毎の頻度を示す頻度情報を頻度情報記憶手段に記憶するステップと、を実施する情報処理方法によっても解決される。
【００１８】
この情報処理方法においても、特定の生体情報の発信位置毎の頻度を示す頻度情報が得られることになる。
【００２０】
【発明の実施の形態】
以下、この発明の一実施形態を図面に基づいて説明する。
【００２１】
図１は、この発明の一実施形態に係る情報処理装置を、携帯端末と管理装置とをネットワークを介して接続した情報処理システムとして示す全体構成図である。
【００２２】
図１において、この情報処理システムは、たとえば複数の情報発信者４がそれぞれ所有する携帯端末１と、通信基地２と、情報管理装置としての情報管理サーバ（以下、サーバという）３とから構成されている。
【００２３】
前記携帯端末１は、たとえばＰＤＡ（Personal digital assistant)などからなり、情報発信者４の生体情報である音声を取得して、その音声が特定の生体情報か否かを判別し、特定の生体情報であればこれをサーバ３に伝送する。
【００２４】
通信基地２は、たとえば無線基地からなり、携帯端末１からの情報を受信する。勿論、この通信基地２は有線接続方式によるものであってもよい。また、前記サーバ３は、無線基地２と通信回線５を介してネットワーク接続されており、携帯端末１からの情報を受信して管理するようになっている。
【００２５】
図２は、前記携帯端末１の構成を示すブロック図である。
【００２６】
図２において、携帯端末１は、携帯端末１の全体を統括的に制御するＣＰＵ１０と、ＣＰＵ１０の処理プログラムを格納してあるＲＯＭ１１と、データ処理時の作業領域となるＲＡＭ１２と、ハードディスク装置（ＨＤＤという）１３と、音声入力部１４と、音声認識部１５と、位置認識手段としての衛星航法システム（Global Positioning System、以下ＧＰＳという）ユニット１６と、無線通信ユニット１７とを備えている。
【００２７】
前記音声入力部１４は、情報発信者４の音声を取り込むためのものであり、図示しない集音マイクロフォンや増幅器などからなる。また、音声認識部１５は、音声入力部１４に入力された音声を認識するとともに、音声に示された単語が、特定の生体情報としてＨＤＤ１３に予め記憶されている所定の登録単語であるか否かを判別する判別手段として機能する。この実施形態では、複数の単語がそれぞれＩＤを付された状態で登録されており、音声に示された単語がそれぞれの登録単語であるか否かが判別される。
【００２８】
また、前記ＧＰＳユニット１６は、通信衛星からの電波を受信することにより携帯端末１の位置換言すれば情報発信者４の現在位置を認識する。このように、ＧＰＳを利用して端末１の位置を認識するので、比較的広範囲で高精度な位置検出が可能となる。
【００２９】
無線通信ユニット１７は、最寄りの無線基地２と通信するためのものであり、これにより携帯端末１とサーバ３とがネットワーク５を介して接続され、両者間でデータの送受が可能となっている。
【００３０】
図３は、前記サーバ３の構成を示すブロック図である。
【００３１】
図３において、サーバ３は、ＣＰＵ３０と、ＣＰＵ３０の処理プログラムを格納してあるＲＯＭ３１と、データ処理時の作業領域となるＲＡＭ３２と、携帯端末１から送られてくるデータ等を格納する記憶手段としてのＨＤＤ３３と、キーボードなどの入力機器３４と、表示装置３５と、ネットワークユニット３６とを備えている。
【００３２】
前記入力機器３４は、データの格納指示や表示指示などを行うものであり、サーバの管理者によって操作される。また、表示装置３５は、ＨＤＤ３３に記憶されているデータ等を表示する。前記ネットワークユニット３６は、ネットワーク５を介して前記携帯端末１との間でデータの送受信を行うためのものである。
【００３３】
前記ＣＰＵ３０は、サーバ３の全体を制御する他に、携帯端末１から送られてきた情報発信者４の発した特定の登録単語と情報発信者の位置情報について、それらを関連付けた特定生体情報記憶テーブル（図４に示す）５０を作成し、さらに頻度マップ５１（図５に示す）を作成する。そして、前記記憶テーブル５０及び頻度マップ５１の内容を、管理データとしてＨＤＤ３３に記憶させたり、前記表示装置３５に表示させる。
【００３４】
図４に示す特定生体情報記憶テーブル５０は、登録単語のＩＤ、その単語が発せられた位置情報（経度，緯度）、そのときの日時、発声者識別情報が含まれている。また、図５に示す頻度マップ５１は、各位置（場所)において登録単語ＩＤが発せられた回数を、登録単語ＩＤ毎にまとめたものである。なおこの実施形態では、ＧＰＳによる位置検出誤差の範囲内のものを同一の位置（場所)であると判定して、頻度マップを作成してある。この頻度マップ５１を前記表示装置３５の画面上の地図にグラフ表示したり、色分け表示させて視覚的に分かりやすくしてもよい。
【００３５】
次に図１〜図３に示した情報処理システムの動作を図６および図７を参照して説明する。
【００３６】
図６は、前記携帯端末１側の処理を示すフローチャートである。なお、以下の説明ならびに図面では、ステップをＳと略記する。
【００３７】
図６において、まずＳ１０１で、音声入力部１４に音声入力があったかどうかを判断する。音声入力がなければ（Ｓ１０１の判定がＮＯ）、処理を終了する。音声入力があれば（Ｓ１０１の判定がＹＥＳ）、Ｓ１０２で、音声認識部１５は音声認識処理を行い、次いでＳ１０３で、音声認識された単語が予めＨＤＤ１３に記憶されている所定の単語であるか否かを判断する。
【００３８】
所定の単語でなければ（Ｓ１０３の判定がＮＯ）、処理を終了する。所定の単語であれば（Ｓ１０３の判定がＹＥＳ）、Ｓ１０４で検出情報を一時格納する。次いでＳ１０５で、ＧＰＳユニット１６により携帯端末１を所持している情報発信者４の位置を認識する。そして、Ｓ１０６で、認識した位置、前記所定の単語のＩＤ、日時、発生者の性別等の情報を、無線通信ユニット１７から無線基地２へ送信する。
【００３９】
無線基地２へ送信されたこれらのデータは、サーバ３へ送信される。
【００４０】
図７は、サーバ３における処理を示すフローチャートである。
【００４１】
図７において、Ｓ２０１では、前記ネットワークユニット３６を介して受信した情報があるか否かを判断する。受信情報があれば（Ｓ２０１の判定がＹＥＳ）、Ｓ２０２に進む。受信情報がなければ（Ｓ２０１の判定がＮＯ）、Ｓ２０１に待機して受信情報を待つ。
【００４２】
Ｓ２０２で、ＣＰＵ３０は、受信情報に基づいて、情報発信者の位置（携帯端末の位置）と登録単語ＩＤ、さらにはその日時や発声者の識別データを関連づけた図４に示す特定生体情報記憶テーブル５０を作成する。また、登録単語ＩＤ毎に、図５に示す頻度マップ５１を作成する。次いでＳ２０３で、ＨＤＤ３３は、作成した特定生体情報記憶テーブル５０、及び頻度マップ５１の内容を記憶する。
【００４３】
これにより、情報発信者４に情報発信を意識させることなく、端末１の位置情報と特定生体情報である特定の単語とが関連付られて管理される。このため、携帯端末１を所有した情報発信者４が流行スポット付近を通る際に思わずに発した言葉、たとえば「超かわいい」などの種々の単語毎に位置情報が書き込まれた特定生体情報記憶テーブル５０から、前記流行スポットや流行商品を特定でき、商品開発や販売促進に役立たせることができる。しかも、登録単語毎の頻度マップ５１を作成することにより、流行スポットや流行商品の人気順位なども知ることができる。
【００４４】
また、ホームヘルプサービス業などにおいては、独居老齢者などの要支援者が移動時などに支障となる場所、たとえば床段差でつまずいたりした時に無意識に発した声、たとえば「おっと」とか「どっこいしょ」といった言葉を場所と関連付けてデータベース化しておくことにより、前記支障となる場所を知ることができ、たとえば訪問サービス時に不具合な場所の補修などを実施することができる。
【００４５】
また、この実施形態では、複数個の単語についてそれが発せられた位置を記憶するから、多岐に渡る情報を得ることができる。
【００４６】
図８は、前記携帯端末１の変形例の構成を示すブロック図であり、図２と同一もしくは相当部位には同一符号を付して説明を省略する。
【００４７】
図８において、バス１９には、音声入力部１４の動作または音声認識部１５の動作に対する許否の設定が行える動作許否設定部２０が接続されている。この動作許否設定部２０は、情報発信者４が前記音声入力部１４の動作あるいは音声認識部１５の動作の許否を選択操作するものであり、ＯＮ・ＯＦＦ選択スイッチなどからなる。このような動作許否設定部２０を設けることによって、都合の悪い時や音声を認識する必要がない時に、情報発信者が上記の動作許否設定部２０を操作して、音声入力部１４や音声認識部２５が起動できないように設定できる。
【００４８】
つぎに、この発明の他の実施形態を図９〜図１３に基づいて説明する。
【００４９】
図９は、この発明の他の実施形態にかかる情報処理システムを示す全体構成図であり、図１と同一もしくは相当部位には同一符号を付して説明を省略する。
【００５０】
図９において、２１は各情報発信者４が所持する携帯端末であり、冷や汗検出装置として構成されている。この携帯端末２１は、情報発信者４の発汗量を生体情報として取得し、この発汗量の変化を基準値と比較して、例えば急激に発汗量が増えたような場合に、これを冷や汗として検出し、その情報をサーバ３に伝送するものである。
【００５１】
サーバ３は、前記実施形態と同様に、無線基地２と通信回線５を介してネットワーク接続されており、携帯端末２１からの情報を検出して位置情報と関連付けて管理データを作成するようになっている。
【００５２】
図１０は、前記携帯端末２１の構成を示すブロック図であり、図３と同一もしくは相当部位には同一符号を付して説明を省略する。
【００５３】
図１０において、１４０は情報発信者４の発汗量を検出する発汗量検出部であり、たとえば発汗量の大小に応じて抵抗値が変化するセンサなどからなる。また、１５０は冷や汗判別部である。この冷や汗判別部１５０は、発汗量検出部１４０で得られたデータを、ＨＤＤ１３に予め記録されている発汗量の変化データと比較して、得られたデータが冷や汗によるものかどうかを判別する。
【００５４】
前記サーバ３の構成は、図３に示したものと同一であるので、各部の具体的説明は省略する。
【００５５】
前記サーバ３は、前記携帯端末２１からの情報を位置情報と共に受け取って、図１１に示す特定生体情報記憶テーブル５０Ａを作成する。特定生体情報記憶テーブル５０Ａには、冷や汗を生じた位置の情報（経度，緯度）に加え、その日時や発声者識別情報も含まれている。なお、必要であれば、発汗部位をも検出することにより、発汗部位と位置情報とを関連付けてテーブルを作成しても良い。
【００５６】
さらに、サーバ３は、図１２に示す頻度マップ５１Ａも作成する。この頻度マップは、前記特定生体情報記憶テーブル５０Ａにおける位置情報に基づき、位置（場所)ごとに冷や汗を生じた回数を計数したものである。この実施形態では、ＧＰＳによる位置検出誤差の範囲内のものを、同一位置（場所)で生じた冷や汗であると判定している。
【００５７】
つぎに、図９及び図１０に示した構成の情報処理システムの動作を、図１３を参照して説明する。
【００５８】
図１３は、前記携帯端末２１側の処理を示すフローチャートである。
【００５９】
図１３において、まず、Ｓ３０１で、発汗量検出部１４０は発汗量を検出する。次に、Ｓ３０２で、冷や汗判別部１５０は、検出された発汗量について所定の変化があったかどうかを判別する。変化がなければ（Ｓ３０２の判定がＮＯ）、冷や汗ではないと判断して処理を終える。所定の変化があれば（Ｓ３０２の判定がＹＥＳ）、Ｓ３０３で検出データを一時格納したのち、Ｓ３０４で、ＧＰＳユニット１６により携帯端末１を所持している情報発信者４の位置を認識する。そして、Ｓ３０５で、認識した位置、日時、発汗者者の性別等の情報を、無線通信ユニット１７から無線基地２へ送信する。
【００６０】
無線基地２へ送信されたこれらのデータは、サーバ３へ送信される。
【００６１】
これらのデータを受信したサーバ３における処理は、特定生体情報が音声から冷や汗に変わった点を除き、図７に示したものと同じであるので、その説明は省略する。
【００６２】
これにより、情報発信者４に情報発信を意識させることなく、冷や汗を生じたときの位置データが管理される。たとえば独居老齢者などの要支援者が移動時などに支障となる床段差などでつまずいて冷や汗が出た際の場所をデータベース化しておけば、要介護者にとって支障となる場所を知ることができ、この結果、訪問介護サービス時等に不具合な個所の改善策を速やかに実施することができる。
【００６３】
なお、以上説明した各実施形態では、生体情報が特定の生体情報であるか否かを判別する判別手段としての音声認識部１５および冷や汗判別部１５０を、それぞれ携帯端末１、２１側に搭載した。しかし、これらの音声認識部１５および冷や汗判別部１５０はサーバ３側に設けてもよく、その場合、端末１側の構成が簡素になる。
【００６４】
また、携帯端末１、２１と情報管理装置３とをネットワークを介して接続したネットワークシステムとして構成したが、特定の生体情報の発信位置を記憶する記憶手段３３をも、音声入力部１４、音声認識部１５、発汗量検出部１４０、冷や汗判別部１５０、ＧＰＳユニット１６などと共に携帯端末１、２１に組み込んでもよい。この場合、記憶手段に記憶された特定の生体情報の発信位置情報は、携帯端末１、２１から直接にあるいはネットワークを介して定期的にあるいは不定期に取り出せば良い。
【００６５】
また、前述した各実施形態では、生体情報として音声情報や発汗量を例に説明したが、生体情報はこれらに限られるものではなく、体温、心拍数、血圧、呼吸、表情などであってもよい。
【００６６】
【発明の効果】
請求項１に係る発明によれば、特定の生体情報の発信位置毎の頻度を示す頻度情報が得られるから、複数の情報発信者の移動に伴って発信された特定の生体情報、例えば、流行スポットなどに至った情報発信者が思わず声にした「超かわいい」などの言葉から、流行スポットや流行商品を容易に特定することができ、あるいは老齢者などの要支援者にとって支障となっている個所などを的確に把握することが可能となる。また、流行スポットや流行商品などの人気順などを把握することができる。
【００６８】
請求項２に係る発明によれば、各生体情報について発信位置毎の頻度情報を得ることができる。
【００７１】
請求項３に係る発明によれば、音声として入力し、音声に示された単語が特定の単語であることを判別するから、特定の生体情報か否かの判別を比較的簡単にかつ高精度に行うことができるうえ、情報発信者が無意識に発した感動詞などの様々な言葉から流行スポットなどを容易に把握できる。
【００７２】
請求項４に係る発明によれば、入力される生体情報が発汗量であり、この発汗量の変化から入力された生体情報が冷や汗であることを判別してそのときの位置が記憶されるから、たとえば老齢者などが移動する際に障害となっているような場所を特定することができる。
【００７３】
請求項５に係る発明によれば、端末装置は、入力手段または判別手段の動作許否を情報発信者が選択可能な選択スイッチを備えているから、生体情報の入力動作や判別動作を行わせるか否かを選択でき、必要時のみの生体情報の入力や判別が可能となる。
【００７４】
請求項６に係る発明によれば、複数の情報発信者の移動に伴って発信された特定の生体情報から、流行スポットや流行商品を容易に特定することができ、あるいは老齢者などの要支援者にとって支障となっている個所などを的確に把握することができる。
【００７５】
しかも、流行スポットや流行商品などの人気順などを把握することができる。
【図面の簡単な説明】
【図１】この発明の一実施形態にかかるネットワークシステムとしての情報処理装置の全体構成図である。
【図２】同じく情報処理装置における端末の構成を示すブロック図である。
【図３】同じく情報処理装置におけるサーバの構成を示すブロック図である。
【図４】所定の単語を特定生体情報とするときの記憶テーブルの説明図である。
【図５】１つの登録単語についての頻度マップの説明図である。
【図６】端末側の処理を示すフローチャートである。
【図７】サーバ側の処理を示すフローチャートである。
【図８】端末の変形例を示すブロック図である。
【図９】この発明の他の実施形態にかかる情報処理装置を示す全体構成図である。
【図１０】図９の情報処理装置における端末の構成を示すブロック図である。
【図１１】冷や汗を特定生体情報とするときの記憶テーブルの説明図である。
【図１２】冷や汗についての頻度マップの説明図である。
【図１３】図９の情報処理装置における端末の処理を示すフローチャートである。
【符号の説明】
１、２１・・・・・・・・・・・端末
３・・・・・・・・・・・・・・サーバ（情報管理装置）
４・・・・・・・・・・・・・・情報発信者
１４・・・・・・・・・・・・・音声入力部（入力手段）
１５・・・・・・・・・・・・・音声認識部（判別手段）
１６・・・・・・・・・・・・・ＧＰＳユニット（位置認識手段）
２０・・・・・・・・・・・・・動作許否設定部
２１・・・・・・・・・・・・・発汗量検出部（入力手段）
３３・・・・・・・・・・・・・ハードディスク装置（記憶手段）
１５０・・・・・・・・・・・・冷や汗判別部（判別手段）
【図１】
0004304876.tif 000002
【図２】
0004304876.tif 000003
【図３】
0004304876.tif 000004
【図４】
0004304876.tif 000005
【図５】
0004304876.tif 000006
【図６】
0004304876.tif 000007
【図７】
0004304876.tif 000008
【図８】
0004304876.tif 000009
【図９】
0004304876.tif 000010
【図１０】
0004304876.tif 000011
【図１１】
0004304876.tif 000012
【図１２】
0004304876.tif 000013
【図１３】
0004304876.tif 000014